(57)【要約】【課題】  保形性を有する成形容器を提供する。【解決手段】  本発明は、収納対象物を収納するための複数の凹部を互いに離間させた状態でフランジ部から突出するように成形した成形容器であって、フランジ部は、少なくとも隣接する凹部を連結する連結部を備えるようにした。【選択図】    図１
2005104520.tif 000002
【特許請求の範囲】
【請求項１】
収納対象物を収納するための複数の凹部を互いに離間させた状態でフランジ部から突出するように成形した成形容器であって、フランジ部は、少なくとも隣接する凹部を連結する連結部を備えることを特徴とする成形容器。
【請求項２】
前記凹部は、外方に突出する緩衝部を備える請求項１記載の成形容器。
【請求項３】
前記連結部は、前記凹部の外方に突出するものである請求項１記載の成形容器。
【請求項４】
前記連結部の突出部分は、少なくとも隣接する凹部に跨って且つ表面が平らである請求項３記載の成形容器。
【発明の詳細な説明】
【技術分野】
【０００１】
本発明は、複数の製品を収納可能な成形容器に関し、製品の搬送は勿論、陳列にも利用することができる成形容器に関する。
【背景技術】
【０００２】
飲料、食品、医薬品、ドリンク剤等の液状物あるいは固形物を充填した例えばビン製品は、積み重ねることが困難であるため、出荷時の梱包に当たり、段ボール内に直接収納することはできない。そこで、いったん数本ずつの製品をまとめて紙箱に収納し、この紙箱を段ボール内に積み重ねていく方法が採られている。
【０００３】
しかしながら、紙箱にそのまま収納されたビン製品は、輸送中に生じる衝撃によってビン同士が直に接触し、破損あるいは欠損するおそれがある。しかも、製品を店頭に陳列するに際しては、箱から取り出す手間がかかる。
【０００４】
そこで、このような問題点を解消するためには、数個の製品を収納可能な凹部を互いに離間させた状態で突出するようにシート成形した成形容器が考えられる。このような成形容器によれば、製品同士が接触し得ないので、搬送の際に破損する危険性は少ない。
【発明の開示】
【発明が解決しようとする課題】
【０００５】
しかしながら、上記成形容器は、フランジ部が平坦で撓みやすいために保形性に欠け、段ボール内に積み重ねると、製品の重みで変形するおそれがある。また、ブリスターパックではなく、二つの分割体をフランジ部にて接合する分割式では、一方側の分割体が製品の重みで変形して両者の間に隙間が生じることにより、取り扱い時に中の製品が落下するおそれもある。
【０００６】
そこで、本発明は、上記課題を鑑みてなされたもので、保形性を有する成形容器を提供することを課題とする。
【課題を解決するための手段】
【０００７】
上記課題を解決するために、本発明に係る成形容器は、収納対象物を収納するための複数の凹部を互いに離間させた状態でフランジ部から突出するように成形した成形容器であって、フランジ部は、少なくとも隣接する凹部を連結する連結部を備えることを特徴とするものである。
【０００８】
上記構成からなる成形容器によれば、フランジ部が連結部によって隣接する凹部（収納部）と一体化されるため、保形性を有することができる。すなわち、フランジ部が撓んで成形容器が変形するのを防止することができる。
【０００９】
また、前記凹部は、外方に突出する緩衝部を備えるようにするのが好ましい。この構成からなる成形容器によれば、積層方向に荷重される力を緩和することができ、成形容器に収納された製品が破損するのを好適に防止することができる。
【００１０】
さらに、前記連結部は、前記凹部の外方に突出する構成を採用することができる。この構成からなる成形容器によれば、連結部が緩衝部としても機能する。
【００１１】
この場合、連結部の突出部分は、少なくとも隣接する凹部に跨って且つ表面が平らであるのが好ましい。これにより、突出部分を例えば商品の表示面として、あるいは注意書き等の収納スペースとして利用することができる。尚、突出部分はいかなる形状であってもよく、略矩形状であってもよいし、略円形状であってもよい。
【発明の効果】
【００１２】
このように、本発明に係る成形容器は、フランジ部が連結部によって隣接する凹部（収納部）と一体化されるため、フランジ部が撓みにくくなり、保形性を保つことができる。
【発明を実施するための最良の形態】
【００１３】
以下、本発明の一実施形態として、収納する製品の数が三個であって、分割式の成形容器について図面を参酌しつつ説明する。
【００１４】
図１は、本実施形態に係る成形容器の第一分割体の斜視図、図２は、第二分割体の斜視図、図３は、図２を反転させた斜視図をそれぞれ示す。
【００１５】
まず、図１を参照して、第一分割体１Ａについて説明する。第一分割体１Ａは、例えば、ＰＥＴ（ポリエチレンテレフタレート）を真空成形等、シート成形した樹脂成形品であり、略矩形のフランジ部１ａと、収納する製品の形状を象った３個の凹部２ａ，…とを備えている。
【００１６】
凹部２ａ，…は、互いに離間した状態で突出し、フランジ部１ａは、隣接する凹部２ａ，２ａ間において、この凹部２ａ，２ａを互いに連結するリブ３を備えている。リブ３は、互いに離間した状態で突出する複数個からなり、具体的には、三個のリブ３，…が等間隔に形成され、凹部２ａの一端位置、中間位置、他端位置を連結するようになっている。
【００１７】
また、フランジ部１ａは、両端部において、凹部２ａに接続されるリブ４を備えている。該リブ４も、リブ３と同様、該リブ３の延長位置に互いに離間した状態で突出する複数個からなる。
【００１８】
さらに、フランジ部１ａは、四つの角部において、後述する第二分割体１Ｂを接合するための嵌合部５ａ…を備えている。そして、フランジ部１ａは、両端部において、接合された第一分割体１Ａ及び第二分割体１Ｂを離間させるために指を掛ける指掛部６ａを備えている。
【００１９】
一方、凹部２ａ，…は、頂部（底部）において、外方に突出し且つ凹部２ａの長手方向に沿って長尺に形成されたリブ７を備え、しかも、図に現れないが、長手方向の基端側における側面部において、外方に突出し且つ略三角形状のリブも備えている。
【００２０】
つまり、これらフランジ部１ａ、凹部２ａ，…、リブ３，…、リブ４，…、嵌合部５ａ，…、指掛部６ａ，６ａ、リブ７，…及び図示しないリブが一体的に成形されている。
【００２１】
次に、図２及び図３を参照して、第二分割体１Ｂについて説明する。第二分割体１Ｂも、第一分割体１Ａと同様、例えば、ＰＥＴを真空成形等、シート成形した樹脂成形品であり、略矩形のフランジ部１ｂと、収納する製品の形状を象った３個の凹部２ｂ，…とを備えている。
【００２２】
凹部２ｂ，…は、第一分割体１Ａと対抗すべく、互いに離間した状態で突出し、フランジ部１ｂは、全て（本実施形態においては三個）の凹部２ｂ，…間に跨ってこれら凹部２ｂ，…を互いに連結するリブ８を備えている。リブ８は、凹部２ｂの長手方向に所定の幅を有し、具体的には、凹部２ｂの両端を除いた領域を連結するようになっている。
【００２３】
リブ８は、一端の凹部２ｂの長手方向の中心線位置と他端の凹部２ｂの長手方向の中心線位置とを幅広に架設した頂面部（底面部）８ａと、頂面部（底面部）８ａの縁に連続してフランジ部１ｂ及び凹部２ｂ，…に繋がる側面部８ｂとからなり、頂面部（底面部）８ａ及び側面部８ｂが一体的に成形されてリブ８を構成している。そして、リブ８の頂面部（底面部）８ａは、平ら（フランジ部１ｂと略平行）で略矩形を有し、凹部２ｂ，…の頂部（底部）よりも外方に突出した状態となっている。
【００２４】
また、フランジ部１ｂは、四つの角部において、第一分割体１Ａを接合するための嵌合部５ｂ…を備えている。そして、フランジ部１ｂは、両端部において、接合された第一分割体１Ａ及び第二分割体１Ｂを離間させるために指を掛ける指掛部６ｂを備えている。
【００２５】
一方、凹部２ｂ，…は、長手方向の基端側における側面部において、外方に突出し且つ略三角形状のリブ９を備えている。
【００２６】
つまり、これらフランジ部１ｂ、凹部２ｂ，…、嵌合部５ｂ，…、指掛部６ｂ，６ｂ、リブ８及びリブ９が一体的に成形されている。
【００２７】
参考のために、図２の第二分割体を反転させた図を図３に示す。図３から明らかなように、リブ８の頂面部（底面部）８ａは、フランジ部１ｂから最も離れた位置に形成されている。リブ８は、図１に示す連結部として機能するリブ３，…及び緩衝部として機能するリブ７，…を一体化したものとして構成されている。
【００２８】
このように構成された成形容器について、その動作を説明する。
まず、第一分割体１Ａ又は第二分割体１Ｂの凹部２ａ（２ｂ）内に、製品を収納する。次いで、図１に示す第一分割体１Ａのフランジ部１ａと、図２に示す第二分割体１Ｂのフランジ部１ｂとを合わせ、嵌合部５ａ，…及び嵌合部５ｂ，…を凹凸嵌合させて、第一分割体１Ａと第二分割体１Ｂとを接合する。このようにして、製品を収納した成形容器を組み立てることができる。
【００２９】
また、上述した成形容器から製品を取り出すには、以下の動作を行う。フランジ部１ａ，１ｂの側方に設けた指掛部６ａ，６ｂの開口部に指を掛けて、成形容器を離反する方向に作用する。これにより、嵌着された嵌合部５ａ，５ｂを容易に嵌脱することができる。
【００３０】
このように、本実施形態に係る成形容器は、離間している凹部２ａ，…あるいは凹部２ｂ，…をリブ３あるいはリブ８で連結させたので、保形性を有することができる。つまり、リブ３及びリブ８が補強の役目を果たすため、離間された部分が撓むことなく、取り扱いが容易であり、変形に伴って中の製品がはみ出し、不用意に落下するのを好適に防止することができる。
【００３１】
また、本実施形態に係る成形容器は、凹部２ａあるいは凹部２ｂの最頂部（最底部）にリブ７あるいはリブ８を形成したので、凹部２ａ及び２ｂそのものの保形性が高まると共に、緩衝作用によって中の製品が破損するのを防止することができる。
【００３２】
さらに、リブ８は、頂面部（底面部）８ａが平坦であるため、その表面に製品の情報を表示することができる。例えば、製品名の表示、薬品などの注意書きなど表示面として利用することができる。従って、製品をこの成形容器に収納した場合、搬送後そのまま店頭に陳列することもできる。
【００３３】
また、リブ８は、平坦な頂面部（底面部）８ａが凹部２ｂ，…の頂部（底部）よりも突出し、その内部に偏平な空間部が形成されるため、例えば製品の注意書き、説明書等の冊子を製品と干渉することなく収納することができる。
【００３４】
また、本実施形態に係る成形容器は、切断面の厚みに関係なく適用することが可能である。例えば、少量の樹脂原料で、薄肉成形した成形容器であっても同様の効果を得ることができる。
【００３５】
なお、本発明に係る成形容器は、上記実施形態に限定されるものではなく、本発明の要旨を逸脱しない範囲で種々の変更が可能である。
【００３６】
例えば、上記実施形態では、収納する三つの凹部のうち、二つが同一の製品形状を有し、残る一つが筒状の形状を有している。この筒状の形状は、ビンに専用の計量用コップを被せた形状を想定したものである。従って、製品の付属物がない場合、凹部は、全て同一の形状であってもよいし、逆に、全てが異なる形状であってもよい。
【００３７】
また、凹部には、ビンを収納する以外にも定形性を有する箱型の形状でもよく、要は、収納する製品は問わない。
【００３８】
また、隣接する凹部は、三本のリブで連結されている。しかし、離間された部分を補強することができれば、リブの数は、三本に限られず、また、幅も自由に設定することができる。
【００３９】
また、分割体の材料はＰＥＴに限られず、それ以外のプラスチックでもよく、あるいは、発泡材料や紙などを用いてもよい。
【００４０】
さらに、指掛部をフランジ部上の対向する位置に２カ所設けたが、１カ所であっても構わない。
【００４１】
また、本発明に係る成形容器は、上記実施形態の如く、分割式でなく、製品全体が収納できる大きさに凹部を形成して、フランジ部に台紙やフィルムを貼ったり、ヒートシールする、いわゆるブリスターパックをも対象とする。
【図面の簡単な説明】
【００４２】
【図１】本発明の実施形態による第一分割体の斜視図である。
【図２】同実施形態による第二分割体の斜視図である。
【図３】図２を反転させた斜視図である。
【符号の説明】
【００４３】
１Ａ        第一分割体
１Ｂ        第二分割体
１ａ，１ｂ  フランジ部
２ａ，２ｂ  凹部（収納部）
３          リブ（連結部）
４          リブ（補強部）
５ａ，５ｂ  嵌合部
６ａ，６ｂ  指掛部
７          リブ（緩衝部）
８          リブ（連結・緩衝・収納部）
８ａ        頂面部（底面部）
８ｂ        側面部
９          リブ（緩衝部）
【図１】
2005104520.tif 000003
【図２】
2005104520.tif 000004
【図３】
2005104520.tif 000005